(57)【特許請求の範囲】
【請求項１】
テープを供給するＳ側リールと、
テープを巻き取るＴ側リールと、
前記Ｓ側リールの回転を検出するＳ側リール回転検出手段と、
前記Ｔ側リールの回転を検出するＴ側リール回転検出手段と、
キャプスタンの動力を前記Ｓ側リールおよび前記Ｔ側リールのいずれか一方に伝え、テープ巻き取り動作をするテープ巻き取り機構と、
テープ巻き取り動作中に前記Ｓ側リール回転検出手段により前記Ｓ側リールの回転が検出されなくなった場合、あるいは、前記Ｔ側リール回転検出手段により前記Ｔ側リールの回転が検出された場合に、テープ巻き取り動作の停止を判断する機能を持つ巻き取り制御手段と、
前記Ｔ側リール回転検出手段からの入力パルスを電源復帰時からテープ巻き取り動作停止までの間カウントして目標値として記憶し、前記テープ巻き取り動作の後でキャプスタンを正方向に回転させて少なくとも前記目標値の分だけテープ送り動作を行うテープ送り手段とを備えた磁気記録再生装置。
【請求項２】
電源復帰からの時間を監視して所定の時間以上経過している場合には前記テープ送り動作を終了して記録動作を開始する請求項１記載の磁気記録再生装置。
【発明の詳細な説明】
【０００１】
【発明の属する技術分野】
本発明は、例えば停電発生時に生じるテープの弛みを無くす機能を有する磁気記録再生装置に関するものである。
【０００２】
【従来の技術】
カセットテープを磁気記録再生装置に装填してテープを走行させる動作を行っているときに、例えば停電などが発生すると、停電後もＳ、Ｔのリール（テープの供給側をＳ、巻き取り側をＴと呼ぶ）が惰性により回転を継続するため、テープが弛んだ状態となる。このような状態で停電復帰時に再生や録画、早送りや巻き戻し動作を実行すると、テープに余計な負荷がかかり、テープを痛めてしまう。あるいはテープを痛めてしまわないための安全動作が働いてしまうことがあり、その場合、次に記録などの動作要求をしても、要求に応じた動作が行われないことがある。
このことを防止するためにテープの巻き取り動作を行うことが一般的に知られているが、巻き取り動作を終了する判断として、一定時間巻き取り動作を行うようにしたものや、Ｔ側リールに巻き取り制動をかけた状態でＳ側リールを回転させて巻き取り動作を行い、Ｓ側リールの回転が検出されなくなった場合に巻き取り動作を終了するものが知られている。
【０００３】
【発明が解決しようとする課題】
従来の磁気記録再生装置では、停電発生時に生じるテープの弛み量に関係なく停電復帰後常に一定時間（例えば一分間）の巻き取り動作を行っているものがある。この一定時間は、想定しうるテープの弛み量の最大量を考慮して設定されており、この場合の設定時間は、想定しうる最大のテープの弛みが生じていてもテープの弛みが解消できる時間となっている。
そのためテープに弛みがそれほど生じておらず、停電復帰後例えば１秒程度の巻き取り動作で弛みが解消できる場合に於いても、その後の残り時間（例えば５９秒間）は無意味な巻き取り動作を継続してしまう。この余分な時間経過とそれに伴う余分なテープの走行を削減することが要求されている。
また、巻き取り動作を終了する判断として、Ｔ側リールに巻き取り制動をかけた状態でＳ側リールを回転させて巻き取り動作を行い、Ｓ側リールの回転が検出されなくなった場合に巻き取り動作を終了するものにおいては、Ｔ側のリールに制動をかけることによって、テープの弛みが無くなった瞬間に過大な負荷がかかってしまいテープにダメージをあたえてしまう事があるという問題もあった。
また、巻き取りが完了した後は、テープ位置が始端方向にずれるため、録画動作へ移行すると、前回記録した部分を重ね書きによって消去してしまうという問題があった。
本発明は、任意にリールに制動をかけられないメカニズムを搭載したビデオデッキに於いて、停電等によりテープに弛みが生じた状態から電源を復帰させた場合、この弛みを取る動作を行い、その動作に於いて余分な時間と、巻き取り量を削減することを目的とする。
また、弛み取り動作終了後と電源復帰時のテープ位置との違いを補正してから記録することによっての重ね書き量を制御し前回記録した部分を消去してしまわないことを目的とする。
【０００４】
【課題を解決するための手段】
この課題を解決するために本発明は、テープを供給するＳ側リールと、テープを巻き取るＴ側リールと、前記Ｓ側リールの回転を検出するＳ側リール回転検出手段と、前記Ｔ側リールの回転を検出するＴ側リール回転検出手段と、キャプスタンの動力を前記Ｓ側リールおよび前記Ｔ側リールのいずれか一方に伝え、テープ巻き取り動作をするテープ巻き取り機構と、テープ巻き取り動作中に前記Ｓ側リール回転検出手段により前記Ｓ側リールの回転が検出されなくなった場合、あるいは、前記Ｔ側リール回転検出手段により前記Ｔ側リールの回転が検出された場合に、テープ巻き取り動作の停止を判断する機能を持つ巻き取り制御手段と、前記Ｔ側リール回転検出手段からの入力パルスを電源復帰時からテープ巻き取り動作停止までの間カウントして目標値として記憶し、前記テープ巻き取り動作の後でキャプスタンを正方向に回転させて少なくとも前記目標値の分だけテープ送り動作を行うテープ送り手段とを備える。
これらの手段を用いるとリールに制動をかけることなく、弛み取りに伴う余分な時間経過と余分なテープの走行を削減することができる。また、テープの弛みが無くなった瞬間に過大な負荷がかかることがないため、テープにダメージをあたえることもない。
【０００５】
また、巻き取り動作後の記録で停電直前の記録を消してしまわないようにすることができる。
【０００６】
【発明の実施の形態】
本発明の請求項１に記載の発明は、テープを供給するＳ側リールと、テープを巻き取るＴ側リールと、前記Ｓ側リールの回転を検出するＳ側リール回転検出手段と、前記Ｔ側リールの回転を検出するＴ側リール回転検出手段と、キャプスタンの動力を前記Ｓ側リールおよび前記Ｔ側リールのいずれか一方に伝え、テープ巻き取り動作をするテープ巻き取り機構と、テープ巻き取り動作中に前記Ｓ側リール回転検出手段により前記Ｓ側リールの回転が検出されなくなった場合、あるいは、前記Ｔ側リール回転検出手段により前記Ｔ側リールの回転が検出された場合に、テープ巻き取り動作の停止を判断する機能を持つ巻き取り制御手段と、前記Ｔ側リール回転検出手段からの入力パルスを電源復帰時からテープ巻き取り動作停止までの間カウントして目標値として記憶し、前記テープ巻き取り動作の後でキャプスタンを正方向に回転させて少なくとも前記目標値の分だけテープ送り動作を行うテープ送り手段とを備えた磁気記録再生装置としたものであり、リールに制動をかけることなく、弛み取りに伴う余分な時間経過と余分なテープの走行を削減するという作用を有する。また、巻き取り動作後の記録で停電直前の記録を消してしまわないという作用を有する。
【０００７】
以下、本発明の実施形態について、図面を参照して説明する。
【０００８】
（実施の形態１）
図１は本発明の一実施の形態を示す磁気記録再生装置の概略構成を示すブロック図である。
【０００９】
図１に於いて１は磁気記録再生装置に装填されたテープであり、ローディングポスト６，７によってテープカセット２から引き出され、回転ドラム５に巻き付けられた状態を示している。すなわち、このテープ１は、Ｓ側リール３から引き出され、一方のローディングポスト６を介して回転ドラム５に巻き付けられ、他方のローディングポスト７、ピンチローラ９、キャプスタン８等を介してＴ側リール４に巻き取られるようになっている。但し、バックテンションポスト等の各種ポスト、及び消去ヘッドやコントロールヘッド等は図示を省略している。Ｓ、Ｔ側リール３、４の駆動は、キャプスタンの動力をアイドラ機構１６を介してＳ、Ｔ側どちらかのリールに伝えられることによって行われる。アイドラ機構１６は、キャプスタン８の回転方向により動作する図示しない機構により、どちらかのリールに当接するように移動する。またキャプスタン８は、キャプスタンモータ駆動回路１０によって駆動制御されている。そしてこのキャプスタンモータ駆動回路１０は、システムコントローラ１１からの駆動制御信号に基づいて、駆動制御を行うようになっている。
【００１０】
また、システムコントローラ１１には、電源回路１４から電源が供給されている。したがって電源回路からの電源の供給が止まる（停電等）とシステムコントローラ１１は動作を停止し、電源の供給が再開されると動作を開始する。システムコントローラ１１は、この開始プロセスの中で、メカニズムの初期化動作を制御し、初期化動作の中でＳ側リール３でのテープ巻き取り動作を行う構成となっている。この巻き取り動作中にＴリールセンサ１３からのリールパルスが入力されるようになったとき、あるいは巻き取り動作中にＳリールセンサ１２からのリールパルスが入力されなくなったときにシステムコントローラ１１はテープ１の弛みが取れたと判断し、巻き取り動作を停止してメカニズムの初期化動作の続きの動作（アンローディング）に移行する制御を行うようになっている。すなわち巻き取り制御手段はシステムコントローラ１１によって実現されており、システムコントローラ１１はソフトウェアを含む構成となっている。
次に上記構成の磁気記録再生装置における動作について、図２、３の動作フローチャートを参照して説明する。
テープカセット２を磁気記録再生装置内に装填し、テープ１を引き出して回転ドラム５に巻き付けた状態で、テープ１走行中に例えば停電が発生すると、システムコントローラ１１はその時点で制御不能となる。一方回転中のＳ側リール３、Ｔ側リール４は、停電後も惰性によって回転を継続し、その後停止することになる。そのため、このようなテープ１走行中に突然電源が断たれると、引き出されたテープ１が弛んだ状態となる。
この状態に於いて停電が復帰するとシステムコントローラ１１が動作を再開しメカニズムの初期化動作を開始する（ステップＳ３）。その初期化動作の中でＳ側リール３を巻き取り方向に回転させる巻き取り動作を行う（ステップＳ４）。この巻き取り動作は弛みが取れたと判断されるまで行われ、巻き取り完了の判断後はメカニズムの初期化動作の続き、例えばアンローディング、ローディングを行ってメカニズムの初期化動作を終了する（ステップＳ５）。この時の弛みが取れたと判断するステップ（ステップＳ４）が本実施形態の特徴部分であり、以下にその内容を示す。
まず、電源が復帰する（ステップＳ１）と、システムコントローラ１１が動作を開始した時点でＴ側リール４のＴリールセンサ１３からの入力パルスの割り込みによってカウントアップする動作を開始（ステップＳ２）する。次にメカニズムの初期化動作を開始（ステップＳ３）し、その過程で巻き取り動作を開始する（ステップＳ４）。この巻き取り動作の過程（ステップＳ４）を、図３を元に以下で説明する。
まず、Ｓ側リール３を巻き取り側に回転させ（ステップＳ４１）テープ１の弛みを取り除いていく。Ｓ側リール３が回転している状態でテープ１に弛みがある場合には、Ｓ側リール３が回転するため、Ｓリールセンサ１２から一定周期でリールパルスが入力さる。またこの時Ｔ側リール４はテープ走行に従属して回転する構造となっているため回転することはなく、そのためＴ側リールセンサ１３からのリールパルスがシステムコントローラ１１に入力されることはない。そこで、システムコントローラ１１はこのＳ、Ｔ両リールセンサ１２、１３から入力されるリールパルスを監視する（Ｓ４２とＳ４３のステップを繰り返す）。
Ｓ側リール３を巻き続けるとやがてテープ１に弛みが無くなる。弛みが無くなると、テープ１を巻き取る駆動力やリールのテープ巻径の条件により、Ｓ、Ｔ両側のリール３、４が両方共に回転するか、両方共に停止するかのどちらかの状態になる。したがって、Ｔ側リール４のリールセンサ１３からパルスが入力されるようになる（ステップＳ４２でＹＥＳ）か、Ｓ側リール３のリールセンサ１２からパルスが入力されなくなる（ステップＳ４３でＹＥＳ）かのどちらかの状態になる。システムコントローラ１１は、Ｓ、Ｔ両リールセンサ１２、１３から入力されるリールパルスを監視し、どちらかの条件が成立したことを確認すると、テープ１の弛みが無くなったと判断してＳ側リール３を停止させる（ステップＳ４４）。ここで、Ｔ側リールパルスのカウントアップ値を記憶しておき（ステップＳ４５）、次にＴ側リールパルスのカウントアップ値をクリアしておく（ステップＳ４６）。
すなわち本実施の形態の磁気記録再生装置によれば、リールに制動をかけることのできないメカニズムに於いても、リールの回転を監視することで弛みが無くなったことを検知することができ、テープ１の弛みが無くなった時点で巻き取り動作を停止しメカニズム初期化処理の次の動作に移行するので、従来のような無駄な巻き取り時間を必要とせず、テープ１の送り量も少なくできる。また、リールに制動をかけないためにテープ１に弛みがなくなった瞬間にテープ１に過大なテンションをかけてテープ１にダメージをあたえることもなくなる。
【００１１】
（実施の形態２）
以下、本発明の実施形態について、図面を参照して説明する。
実施の形態１で代表される巻き取り動作を行うと、テープ位置が停電発生時より始端方向へずれが生じる。このまま記録動作へ移行すると、停電前に記録されていた部分を上書きしてしまうため停電直前の映像を消してしまうことになる。
図１に於いて電源復帰からＴリールセンサ１３に入力されるパルスをカウントアップして巻き取り動作を終えた時点で記憶し、後で記録を開始する位置の目標値とした。巻き取り動作終了後に記録動作へ移行する際は、デッキをショートＲＥＣＰＬＡＹの状態（ショートＲＥＣＰＬＡＹの状態とは、テープ１の走行、メカの状態はＲＥＣ状態と同等であり、記録ヘッドと消去ヘッドに電流を流さない状態を言う）にし、テープ１をキャプスタン８で終端方向へ送りながらＴリールセンサ１３に入力されるパルスをカウントアップする。このカウントアップ値と目標値とを比較し、同じになった時点でテープ１の位置が停電復帰時と同じになったと判断し、デッキをショートＲＥＣＰＬＡＹの状態から記録の状態へ移行する。また、この際、目標値とカウントアップしていく値とに大きな差がある場合は、キャプスタン８の回転速度を早く設定して、目標のテープ位置に到達するまでの時間を短縮する。また、停電復帰からの時間を監視して記録動作へ移行するまでの時間が大きくなりすぎた場合はテープ位置の判断を待たずに記録へ移行し無記録時間の最大時間を保証する。
次に上記構成の磁気記録再生装置における本実施形態の動作について、図２から図４の動作フローチャートを参照して説明する。
実施の形態１でも触れたメカの初期化動作を終了した時点で、デッキに対して記録の要求（ステップＳ６）があった場合、テープ位置の補正動作を行い（Ｓ７）、補正動作後記録を開始する（ステップＳ８）。この時のテープ位置の補正のステップＳ７が本実施形態の特徴部分であり、そのフローを図４に示し、以下にその内容を説明する。
まず初期化動作が終了した時点で記録要求（ステップＳ６）があると、デッキをショートＲＥＣＰＬＡＹの状態に移行させる（ステップＳ７１）。ショートＲＥＣＰＬＡＹ状態へ移行後、電源復帰からの時間を確認し（ステップＳ７２）、任意の時間に達していれば記録を開始する（ステップＳ８）。これは電源復帰から録画までの最長時間を保証するためにある。
この時間に達していなければステップＳ４５で記憶した目標値と現在のＴリールパルスカウントアップ値を比較する（ステップＳ７３）。
この時、現在のカウント値の方が目標値より小さい場合に、その差の大きさを判断し（ステップＳ７４）、差が大きければテープ位置を大きく変化させる必要があるのでテープ位置補正に費やす時間を短縮するため、キャプスタン８の回転速度を上げテープ１を高速で送るようにする（ステップＳ７５）。
ステップＳ７３で現在の値の方が小さく、その差の大きさを判断し（ステップＳ７４）、差が小さければすぐに記録動作へ移行できるようにキャプスタン８の回転速度をショートＲＥＣＰＬＡＹ状態と同じ速度にする（ステップＳ７６）。
ステップ７３で現在のカウント値が目標値と同じか又は大きければテープ位置補正動作を終了し記録を開始する（ステップＳ８）。
すなわち本実施の形態の磁気記録再生装置によれば、弛み取り動作終了後と電源復帰時のテープ位置との違いを補正してから記録することによっての重ね書き量を制御し前回記録した部分を消去してしまわないという、すぐれた効果を有する。
【００１２】
【発明の効果】
以上のように本発明によれば、テープの弛みが取れた時点で巻き取り動作を停止し、次の動作に移行できるため、無駄な巻き取り時間や、巻き取り量が発生しない。また、Ｔ側リールに制動をかける必要がないのでリールに制動をかけるメカニズムを有しないデッキでも実現可能であり、弛みがとれた瞬間に過大なテンションがかかることも無いのでテープを傷めることもない。
また、本発明によれば、電源復帰したテープの位置から記録を始めることができ、停電発生直前の画像を消さずに記録を開始できる。
【図面の簡単な説明】
【図１】本発明の一実施の形態における磁気記録再生装置のブロック図
【図２】同実施形態の全体動作を示すフローチャート
【図３】同実施形態の巻き取り動作を示すフローチャート
【図４】同実施形態のテープ位置補正動作を示すフローチャート
【符号の説明】
１  テープ
２  テープカセット
３  Ｓ側リール
４  Ｔ側リール
５  回転ドラム
６、７  ローディングポスト
８  キャプスタン
９  ピンチローラ
１０  キャプスタンモータ駆動回路
１１  システムコントローラ
１２  Ｓリールセンサ
１３  Ｔリールセンサ
１６  アイドラ機構
【図１】
0003624830.tif 000002
【図２】
0003624830.tif 000003
【図３】
0003624830.tif 000004
【図４】
0003624830.tif 000005